(57)【特許請求の範囲】
【請求項１】
所定の換気システムにより建物内を換気する換気計画に使用される気積を算出する気積計算プログラムにおいて、
コンピュータに、
建物の延べ床面積に含まれている第一非換気対象の部分の床面積を算出する第１手順、
前記建物の延べ床面積から前記第一非換気対象の部分の床面積を減算して基準床面積を算出する第２手順、
前記第２手順により算出された基準床面積に基準天井高さを乗じて基準容積を気積として算出する第３手順、
を実行させるための第１のステップに係るプログラムと、
前記コンピュータに、
前記第１のステップ以降に、前記建物内において換気の対象となる箇所と換気の対象とならない箇所の容積を気積として算出し、その気積に基づいて前記基準容積である気積を補正する複数のステップに係るプログラムと、
があり、
前記換気の対象となる箇所と前記換気の対象とならない箇所には、複数種類の天井形状のうち一つまたは複数種類の組み合わせで形成された天井と、その天井形状に対応する一つまたは高低差のある複数の天井高さと、が設定され、
前記複数のステップに係るプログラムにおいて、前記換気の対象となる箇所と前記換気の対象とならない箇所ごとの気積を、前記天井の水平投影面積と、その天井形状に対応する前記天井高さと、に基づいて算出する、
ことを特徴とする気積計算プログラム。
【請求項２】
請求項１に記載の気積計算プログラムにおいて、
前記複数のステップに係るプログラムのうち、
更に、コンピュータに、
前記基準天井高さとこの基準天井高さと異なる天井高さの差分と、前記異なる天井高さの天井と対向する床面の床面積に基づいて差分容積を算出する第４手順、
を実行させるプログラムであり、
前記第４手順において、前記基準天井高さと異なる天井高さが基準天井高さより高い場合、前記第３手順において、前記気積を算出する際に、前記基準容積に前記差分容積を加算する
ことを特徴とする気積計算プログラム。
【請求項３】
請求項１または２に記載の気積計算プログラムにおいて、
前記複数のステップに係るプログラムのうち、
更に、コンピュータに、
前記建物の延べ床面積に関する容積に含まれない換気対象の容積を算出する第５手順、
を実行させるプログラムであり、
前記第３手順において、前記気積を算出する際に、前記基準容積に前記換気対象の容積を加算する
ことを特徴とする気積計算プログラム。
【請求項４】
請求項１から３のいずれか一項に記載の気積計算プログラムにおいて、
前記複数のステップに係るプログラムのうち、
更に、コンピュータに、
前記建物の延べ床面積に関する容積に含まれる第二非換気対象の容積を算出する第６手順、
を実行させるプログラムであり、
前記第３手順において、前記気積を算出する際に、前記基準容積から前記第二非換気対象の容積を減算する
ことを特徴とする気積計算プログラム。
【請求項５】
請求項４に記載の気積計算プログラムにおいて、
前記複数のステップに係るプログラムのうち、
更に、コンピュータに、
階段室における上階の床高さから下階の基準天井高さまでの容積を算出する第７手順、
を実行させるプログラムであり、
前記第３手順において、前記気積を算出する際に、前記基準容積に前記階段室における上階の床高さから下階の基準天井高さまでの容積を加算する
ことを特徴とする気積計算プログラム。
【発明の詳細な説明】
【技術分野】
【０００１】
本発明は、気積計算プログラムに関する。
【背景技術】
【０００２】
従来、建物全体を換気する全般換気における、建物全体の居室等の気積は、居室等の床面積に居室等の天井高さを乗じて算定され、換気対象エリア毎に算出された各居室等の気積を加算して算定されている（例えば、特許文献１参照。）。ここで、気積とは、建物の居室等の空間の容積をいい、換気計画にあたり、換気回数を計算するための基礎となるものである。
【先行技術文献】
【特許文献】
【０００３】
【特許文献１】特開２００６−５８９５５号公報
【発明の概要】
【発明が解決しようとする課題】
【０００４】
しかしながら、住宅の内部の形状は、一般的に、他の建物に比べ複雑である。上記の気積の算定方法では、居室ごとに気積を計算し、それらを加算しなければならず、手間がかかるという問題があった。例えば、１つの居室において、凹凸部分等の非換気対象の部分がある場合には、複数の領域に分割して、各領域毎に気積を求め、それらを加算する必要があった。
【０００５】
本発明の課題は、算定時間を短縮することができる、気積計算プログラムを提供することである。
【課題を解決するための手段】
【０００６】
上記課題の少なくとも一つを解決するために、請求項１に記載の発明は、例えば、図１、図３、図７に示すように、
所定の換気システムにより建物内を換気する換気計画に使用される気積を算出する気積計算プログラムにおいて、
コンピュータ１００に、
建物の延べ床面積に含まれている第一非換気対象の部分１３の床面積を算出する第１手順、
前記建物の延べ床面積から前記第一非換気対象の部分１３の床面積を減算して基準床面積を算出する第２手順、
前記第２手順により算出された基準床面積に基準天井高さを乗じて基準容積を気積として算出する第３手順、
を実行させるための第１のステップ（ステップＳ１）に係るプログラムと、
前記コンピュータ１００に、
前記第１のステップ以降に、前記建物内において換気の対象となる箇所（例えばロフト１０）と換気の対象とならない箇所（例えば天袋１１、地袋１２）の容積を気積として算出し、その気積に基づいて前記基準容積である気積を補正する複数のステップ（ステップＳ２〜Ｓ４）に係るプログラムと、
があり、
前記換気の対象となる箇所と前記換気の対象とならない箇所には、複数種類の天井形状のうち一つまたは複数種類の組み合わせで形成された天井と、その天井形状に対応する一つまたは高低差のある複数の天井高さと、が設定され、
前記複数のステップに係るプログラムにおいて、前記換気の対象となる箇所と前記換気の対象とならない箇所ごとの気積を、前記天井の水平投影面積と、その天井形状に対応する前記天井高さと、に基づいて算出する、
ことを特徴とする。
【０００７】
ここで、延べ床面積とは、外周壁で囲まれる室内側の床面積の合計をいう。外部収納等は除かれる。基準天井高さとは、建物の天井高さのうち、任意の代表的な設計寸法をいう。
【０００８】
請求項１に記載の発明によれば、所定の換気システムにより建物内を換気する換気計画に使用される気積を算出する気積計算プログラムにおいて、コンピュータ１００に、前記第２手順により算出された基準床面積に基準天井高さを乗じて基準容積を気積として算出する第３手順を実行させるため、居室ごとに気積を計算し、それらを加算する場合に比べて、算定工数が少なくなるため、算定時間を短縮することができる。
【０００９】
請求項２に記載の発明は、例えば、図１、図４、図７、図８に示すように、
請求項１に記載の気積計算プログラムにおいて、
前記複数のステップに係るプログラムのうち、
更に、コンピュータ１００に、
前記基準天井高さとこの基準天井高さと異なる天井高さの差分１４ａ、２５ａと、前記異なる天井高さの天井と対向する床面の床面積１４ｂ、２５ｂに基づいて差分容積１４、２５を算出する第４手順、
を実行させるプログラムであり、
前記第４手順において、前記基準天井高さと異なる天井高さ１４ａ、２５ａが基準天井高さより高い場合、前記第３手順において、前記気積を算出する際に、前記基準容積に前記差分容積１４、２５を加算する
ことを特徴とする。
【００１０】
請求項２に記載の発明によれば、前記第３手順において、前記気積を算出する際に、前記基準容積に前記差分容積１４、２５を加算するので、必ず必要となる気積の補正ができ、より適正な気積を求めることができる。
【００１１】
請求項３に記載の発明は、例えば、図１、図５、図７に示すように、
請求項１または２に記載の気積計算プログラムにおいて、
前記複数のステップに係るプログラムのうち、
更に、コンピュータ１００に、
前記建物の延べ床面積に関する容積に含まれない換気対象１０の容積を算出する第５手順、
を実行させるプログラムであり、
前記第３手順において、前記気積を算出する際に、前記基準容積に前記換気対象の容積を加算する
ことを特徴とする。
【００１２】
請求項３に記載の発明によれば、前記第３手順において、前記気積を算出する際に、前記基準容積に前記換気対象１０の容積を加算することにより、前記建物の延べ床面積に関する容積に含まれない換気対象１０の容積について、基準容積に対するそれぞれの補正部分のみ容積を算定して、気積の補正ができるため、より適正な気積を求めることができる。
【００１３】
請求項４に記載の発明は、例えば、図１、図５、図７に示すように、
請求項１〜３のいずれか一項に記載の気積計算プログラムにおいて、
前記複数のステップに係るプログラムのうち、
更に、コンピュータ１００に、
前記建物の延べ床面積に関する容積に含まれる第二非換気対象１１、１２の容積を算出する第６手順、
を実行させるプログラムであり、
前記第３手順において、前記気積を算出する際に、前記基準容積から前記第二非換気対象１１、１２の容積を減算する
ことを特徴とする。
【００１４】
請求項４に記載の発明によれば、前記第３手順において、前記気積を算出する際に、前記基準容積から前記第二非換気対象１１、１２の容積を減算することにより、前記第二非換気対象１１、１２の容積について、基準容積に対するそれぞれの補正部分のみ容積を算定して、気積の補正ができるため、より適正な気積を求めることができる。
【００１５】
請求項５に記載の発明は、例えば、図１、図６、図９〜図１５に示すように、
請求項１から４のいずれか一項に記載の気積計算プログラムにおいて、
前記複数のステップに係るプログラムのうち、
更に、コンピュータ１００に、
階段室３０、４０、５０、６０、７０、８０、８１、９０、９１における上階の床高さから下階の基準天井高さまでの容積を算出する第７手順、
を実行させるプログラムであり、
前記第３手順において、前記気積を算出する際に、前記基準容積に前記階段室３０、４０、５０、６０、７０、８０、８１、９０、９１における上階の床高さから下階の基準天井高さまでの容積を加算する
ことを特徴とする。
【００１６】
請求項５に記載の発明によれば、前記第３手順において、前記気積を算出する際に、前記基準容積に前記階段室３０、４０、５０、６０、７０、８０、８１、９０、９１の容積を加算することにより、階段室における上階の床高さから下階の基準天井高さまでの容積について、気積の補正ができるため、より適正な気積を求めることができる。
【発明の効果】
【００１７】
本発明によれば、算定時間を短縮することができる、気積計算プログラムを提供することができる。
【図面の簡単な説明】
【００１８】
【図１】本発明に係る気積計算プログラムの一例を示すフローチャートである。
【図２】本発明に係る気積計算プログラムを実行する際に表示部に表示される表示例であり、プログラム実行結果である換気の対象となる気積等を示す図である。
【図３】同、換気対象部分の気積の基準容積等を示す図である。
【図４】同、基準天井高さと異なる部分の気積の補正を示す図である。
【図５】同、部分的な気積の補正を示す図である。
【図６】同、（ａ）は２階立ての建物の階段部分の気積の補正を示す図であり、（ｂ）は３階立ての建物の階段部分の気積の補正を示す図である。
【図７】本発明に係る気積計算プログラムにおける気積を計算する対象となる建物の一例を示す図であり、１階建ての建物を示す図である。
【図８】同、基準天井高さと異なる部分の補正に係る１階建ての建物を示す図である。
【図９】同、（ａ）は階段室を示す上階平面図であり、（ｂ）は２階に蔵のある建物の階段部分の補正に係る２階建ての建物を示す図である。
【図１０】同、（ａ）は階段室を示す２階平面図であり、（ｂ）は１階に蔵のある建物の階段部分の補正に係る２階建ての建物を示す図である。
【図１１】同、（ａ）は階段室を示す上階平面図であり、（ｂ）は２階に蔵のある建物の階段部分の補正に係る２階建ての建物を示す図である。
【図１２】同、（ａ）は階段室を示す２階平面図であり、（ｂ）は１階に蔵のある建物の階段部分の補正に係る２階建ての建物を示す図である。
【図１３】同、（ａ）は階段室を示す上階平面図であり、（ｂ）は建物の階段部分の補正に係る２階建ての建物を示す図である。
【図１４】同、（ａ）は階段室を示す２階と３階の平面図であり、（ｂ）は階段部分の補正に係る３階建ての建物を示す図である。
【図１５】同、（ａ）は階段室を示す３階の平面図であり、（ｂ）は階段室を示す２階平面図であり、（ｃ）は階段部分の補正に係る３階建ての建物を示す図である。
【図１６】本発明に係る気積計算プログラムを実行するコンピュータの概略構成を示すブロック図である。
【発明を実施するための形態】
【００１９】
以下、図面を参照して本発明の実施の形態について説明する。
【００２０】
＜実施の形態＞
図１を参照して、コンピュータにより実行される、所定の換気システムにより建物内を換気する換気計画に使用される気積を算出する気積計算プログラムの動作について説明する。なお、本実施形態における気積を算定する建物においては、居室部分に給気して、換気のための有効開口を有する建具を経由して廊下等の非居室部分から排気する、第一種換気設備であるフロアセントラル換気システム（所定の換気システム）方式が採用され、全ての室内空間が居室等の扱いとなり得るとした住宅が想定されている。この住宅においては、基準天井高さと異なる部分を含み、基準天井高さが異なる部分の補正、部分的な気積の補正、階段部分の補正をコンピュータが行う。尚、小屋裏や天井裏は、居室等と気密層で分断されているものとし、また、天井が０．９ｍ〜１．４ｍ程度の低天井の収納室である蔵、小屋裏収納については、アンダーカット等のない建具で仕切り、個別に換気を確保することにより、気積算定の対象から除外する。
【００２１】
以下の気積の算定においては、床面積は、壁の中心線で囲まれた部分の面積によるものとし、天井高さは、床仕上げ面から天井仕上げ面までの寸法とする。
【００２２】
気積の算定手順としては、図１に示すとおり、換気対象となる基準容積を気積として求め（ステップＳ１）、基準天井高さと異なる部分の差分容積で前記気積を補正し（ステップＳ２）、部分的な換気対象の容積で前記気積を補正し（ステップＳ３）、階段部分の換気対象の容積で前記気積を補正する（ステップＳ４）ことにより、住宅の居室等の気積をコンピュータが求める。このように、コンピュータが、表計算ソフトウェア等の演算処理手段により、気積の算定を行っている。
ここで、図２に示す「換気対象となる気積（３７４．１６ｍ3）」は、図３に示す「Ｉ換気対象部分の気積の基準容積（３３５．０９５２ｍ3）」に、図４の「ＩＩ基準天井高さと異なる部分の気積の補正値（２２．２６５６ｍ3）」と、図５の「ＩＩＩ部分的な気積の補正値（１．９８７５ｍ3）」と、図６（ａ）の「ＩＶ階段部分の気積の補正値（１４．８０４２ｍ3）」とを加算した後、小数点第３位を切り上げして、求められている。
【００２３】
（Ｉ換気対象部分の気積の基準容積）
ステップＳ１において、換気対象となる気積の基準容積を気積として算出する。ここで、基準容積を求めるために、コンピュータ１００に、建物の延べ床面積に含まれている第一非換気対象の部分１３の床面積を算出する第１手順、前記建物の延べ床面積から前記第一非換気対象の部分１３の床面積を減算して基準床面積を算出する第２手順、前記第２手順により算出された基準床面積に基準天井高さを乗じて基準容積を気積として算出する第３手順、を実行させる。
【００２４】
ここで、図２に示す延べ床面積については、通常のパネル（９０ｍｍ）を使用した建物の場合、建築確認申請書類等を参照して、「延べ床面積」の欄に、ユーザが延べ床面積の値を入力する。これに対して、１２０ｍｍパネルを使用した建物の場合、述べ床面積を求めるために、図２の「外壁１２０ｍｍパネル仕様時入力欄」に、ユーザが、図面を参照してモジュール２単位で面積を算出し、この算出した面積を入力する。１２０ｍｍパネルを使用した建物は、法上算出される延べ床面積が大きくなるが、気積対象は通常パネルと変わらないためである。なお、１２０ｍｍパネル仕様時は、「外壁１２０ｍｍパネル仕様時入力欄」に入力した数値に基づいて「外壁１２０ｍｍパネル仕様時（ｍ2）」の欄に気積対象の延べ床面積がコンピュータ１００による計算結果として表示される。その数値を「延べ床面積」にユーザが入力する。また、室名については、ユーザが任意の部屋名を入力する。
【００２５】
ここで、建物の延べ床面積に含まれている第一非換気対象の部分とは、例えば、居室に付属する物入れ１３（図７）、その他、押入、クローゼット、ウォークインクローゼット、納戸、玄関、風所室等、および、局所換気を行っている場合の浴室、便所等である。
【００２６】
図３に示すように、これらの建物の延べ床面積に含まれている第一非換気対象の部分について、（ｉｉ）の「除外する室等の床面積」の室名として、「押入（和室）」、「物入（洗濯）」、「便所１」、「浴室」、「便所２」の室名と、それぞれの室名に対応した「モジュール２」として、「３」、「１」、「１．７５」、「２」、「１．７５」をユーザが入力部１０２を用いて入力し、コンピュータ１００が、「２．４８４３」、「０．８２８１」、「１．４４９２」、「１．６５６２」、「１．４４９２」、およびこれらの合計（７．８６７ｍ２）を算出し（第１手順）、前記建物の延べ床面積（１４７．４９ｍ2）から前記第一非換気対象の部分１３の床面積（７．８６７ｍ２）を減算して基準床面積（１３９．６２３ｍ２）を算出し（第２手順）、前記第２手順により算出された基準床面積（１３９．６２３ｍ２）に基準天井高さ（２．４ｍ）を乗じて基準容積（３３５．０９５２ｍ3）を気積として、算出する（第３手順）。ここで、前記建物の延べ床面積は、建築基準法施行令２条に準じて決定される。なお、１モジュールは０．９１ｍであり、１モジュール２は０．８２８１ｍ2である。除外する室等の床面積ｍ２は、（モジュール２）に値Ａが入力されると、以下の式で求められる。
（１）除外する室等の床面積（ｍ２）＝Ａ×０．８２８１
【００２７】
建物全体の気積を求める前に、前記第一非換気対象の部分の床面積として、これらの建物の延べ床面積に含まれている第一非換気対象の部分を、前記建物の延べ床面積から除外することにより、建物全体の気積を求めてから、第一非換気対象の容積を除算する場合に比べて、算定工数が少なくなるため、算定時間を短縮することができる。
【００２８】
（ＩＩ基準天井高さと異なる部分の気積の補正）
ステップＳ２において、基準天井高さと異なる部分の差分容積を求め、ステップＳ１で求めた気積を補正する。ここで、図７に示す吹き抜け１４を例に挙げると、ステップＳ１で求めた気積を補正するために、コンピュータ１００に、前記基準天井高さとこの基準天井高さと異なる天井高さの差分１４ａと、前記異なる天井高さの天井と対向する床面の床面積に基づいて差分容積１４を算出する第４手順、を実行させ、前記第４手順において、前記基準天井高さと異なる天井高さが基準天井高さより高い場合、前記第３手順において、前記気積を算出する際に、前記基準容積に前記差分容積１４を必ず加算する。
【００２９】
ここで、前記基準天井高さとこの基準天井高さと異なる天井高さとは、図７に示す吹き抜け１４のように天井高さが前記基準天井高さより高い部分の天井高さの他に、図８（ｂ）に示す前記基準天井高さより高い部分２５ａの天井高さ（左側）と前記基準天井高さより低い部分２６ａの天井高さ（右側）等がある。
【００３０】
また、図４に示すように、室名として、「玄関」、「ホール１・高いところ」、「ホール１・低いところ」、「洗面所」、「台所」、「居間・食堂」、「洋間１・低いところ」、「ホール２」の室名をユーザが入力部１０２を用いて入力する。「玄関」、「ホール１・高いところ」、「居間・食堂」のそれぞれに対応した「モジュール２」として、フラット（高）の欄に「５」、「２．５」、「２８」と、それぞれの室名に対応した「天井高さ」として、高い側の欄に「３．４５８」、「３．２７８」、「３．２７８」をユーザが入力部１０２を用いて入力する。また、「ホール１・低いところ」、「洗面所」、「台所」、「洋間１・低いところ」、「ホール２」のそれぞれに対応した「モジュール２」として、フラット（低）の欄に「９．５」、「４」、「１０」、「９．３７５」、「５」と、それぞれの室名に対応した「天井高さ」として、低い側の欄に「２．２５」、「２．２５」、「２．３」、「２．２５」、「２．２５」をユーザが入力部１０２を用いて入力する。コンピュータ１００は、これらの入力値に基づいて、「玄関」、「ホール１・高いところ」、「ホール１・低いところ」、「洗面所」、「台所」、「居間・食堂」、「洋間１・低いところ」、「ホール２」の気積として、「４．３８０７」、「１．８１７７」、「−１．１８０１」、「−０．４９６９」、「−０．８２８２」、「２０．３５８１」、「−１．１６４６」、「−０．６２１１」を算出し、これらの合計（２２．２６５６ｍ3）を差分容積として、算出する。
【００３１】
また、各天井形状の床面積については水平投影面積をモジュール２単位でユーザが入力する。天井高さの高い側、低い側については、基準天井高さに関係なく、勾配天井等の高い側、低い側の設計寸法をユーザが入力する。
なお、天井形状がフラットのみの場合は、設計寸法と関係なく、床面積を「フラット（高）」に、天井高さについては「高い側」にユーザがその値を入力する。なお、床面積について「フラット（高）」の場合は、「低い側」に入力しても計算結果は変わらない。ここで、基準高さより低い部分２６ａの天井高さの場合は、「低い側」に値をユーザが入力する。この基準高さより低い部分２６ａの天井高さについては、安全値として補正を省略することができる。
【００３２】
なお、各天井形状の床面積に対する天井高さの気積Ｖの計算は、以下の通りである。（１）フラット（高）をＡ（モジュール２）、（２）フラット（低）をＢ（モジュール２）、（３）片流をＣ（モジュール２）、（４）寄棟をＤ（モジュール２）、（５）逆寄をＥ（モジュール２）とし、天井高さは、「高い側」をＦ（ｍ）、「低い側」をＧ（ｍ）とし、全体の気積をＶ（ｍ3）とする。なお、フラット部分については、フラット（高）およびフラット（低）の気積が下記に示す式Ｖ１で求められる。
【００３３】
（１）フラット部分（高）：Ｖ１＝Ａ×０．８２８１×（Ｆ−基準天井高さ）＋Ｂ×０．８２８１×（Ｇ−基準天井高さ）
（２）片流部分：Ｖ２＝Ｃ×０．８２８１×｛（Ｆ−Ｇ）×１／２＋Ｇ−基準天井高さ｝
（３）寄棟部分：Ｖ３＝Ｄ×０．８２８１×｛（Ｆ＋Ｇ）×１／３＋Ｇ−基準天井高さ｝
（４）逆寄部分：Ｖ４＝Ｅ×０．８２８１×｛（Ｆ＋Ｇ）×２／３＋Ｇ−基準天井高さ｝
Ｖ＝Ｖ１＋Ｖ２＋Ｖ３＋Ｖ４
【００３４】
（ＩＩＩ部分的な気積の補正）
ステップＳ３において、部分的な気積を求め、ステップＳ２で求めた気積を補正する。ここで、ステップＳ２で求めた気積を補正するために、コンピュータ１００に、前記建物の延べ床面積に関する容積に含まれない換気対象１０の容積（２．８１５６ｍ3）を算出する第５手順、および、前記建物の延べ床面積に関する容積に含まれる第二非換気対象１１の容積（−０．８２８１ｍ3）を算出する第６手順、を実行させ、前記第３手順において、前記気積を算出する際に、前記基準容積に前記換気対象の容積を加算し、前記基準容積から前記第二非換気対象１１の容積を減算する。
【００３５】
ここで、前記建物の延べ床面積に関する容積に含まれない換気対象とは、例えば、ロフト１０（図７）、その他、出窓部分等である。前記建物の延べ床面積に関する容積に含まれる第二非換気対象とは、例えば、天袋１１（図７）、地袋１２（図７）、その他、吊押入れ、キャビネット、吊戸棚、間仕切収納家具の上部（上部がオープンの場合に限る）等がある。
【００３６】
また、図５に示すように、部分的な気積の補正について、（ｉ）形状が複雑でない場合、片流れの「ロフト」では、「床面積」に「２」、「加減」に「加算」、「高さ」の「高い側」に２ｍ、「低い側」に１．４（ｍ）をユーザが入力し、補正対象の気積（２．８１５６ｍ3）をコンピュータ１００が算出する。ここで、片流れの天井形状の例に挙げると、図８（ａ）に示す符号２０が片流れの天井形状である。また、「吊戸棚」では、「床面積」にフラット高「２」、「加減」に「減算」、「高さ」の「高い側」に０．５（ｍ）をユーザが入力し、補正対象の気積（−０．８２８１ｍ3）をコンピュータ１００が算出する。（ｉｉ）形状が複雑な場合、例えば、トップライト等の天井に設ける筒状の部分等、形状が複雑な部分の補正については、計算式を「計算式」の欄にユーザが直接入力して、補正対象の気積をコンピュータ１００が算出する。なお、「加減」の欄において「加算」と「減算」は選択可能に表示されている。
【００３７】
なお、各床面積に対する天井高さの気積Ｖの計算は、以下の通りである。（１）フラット（高）をＡ（モジュール２）、（２）フラット（低）をＢ（モジュール２）、（３）片流をＣ（モジュール２）、（４）寄棟をＤ（モジュール２）、（５）逆寄をＥ（モジュール２）とし、天井高さは、「高い側」をＦ（ｍ）、「低い側」をＧ（ｍ）、とし、全体の気積をＶ（ｍ3）とする。なお、フラット部分については、フラット（高）およびフラット（低）の気積が下記に示す式Ｖ１で求められる。
【００３８】
（１）フラット部分：Ｖ１＝Ａ×０．８２８１×Ｆ＋Ｂ×０．８２８１×Ｇ
（２）片流部分：Ｖ２＝Ｃ×０．８２８１×｛（Ｆ＋Ｇ）×１／２｝
（３）寄棟部分：Ｖ３＝Ｄ×０．８２８１×｛（Ｆ−Ｇ）×１／３｝
（４）逆寄部分：Ｖ４＝Ｅ×０．８２８１×｛（Ｆ−Ｇ）×２／３｝
Ｖ＝Ｖ１＋Ｖ２＋Ｖ３＋Ｖ４
【００３９】
（ＩＶ階段部分の気積の補正）
ステップＳ４において、階段部分の気積を求め、ステップＳ３で求めた気積を補正する。ここで、ステップＳ３で求めた気積を補正するために、コンピュータ１００に、階段室３０における上階の床高さから下階の基準天井高さまでの容積を算出する第７手順、を実行させ、前記第３手順において、前記気積を算出する際に、前記基準容積に前記階段室３０等の容積（１４．８０４２ｍ3）を加算する。
【００４０】
ここで、階段室における上階の床高さから下階の基準天井高さまでの容積とは、例えば、図９（ｂ）の階段室３０の容積、図１０（ｂ）の階段室４０の容積、図１１（ｂ）の階段室５０の容積の他に、図１２（ｂ）の階段室６０の容積、図１３（ｂ）の階段室７０の容積、図１４（ｂ）の階段室８０、８１の容積、図１５（ｂ）の階段室９０、９１の容積等がある。図９（ｂ）において、基準点天井高さと異なる部分３１と階段室３０の重なる部分３２は、階段室３０の容積と重複する容積となるため、この重なる部分３２の容積分を階段室３０の容積または基準点天井高さと異なる部分３１の容積から減算する。また、図１１（ｂ）において、１階と２階の間に蔵が設けられているため、階段室５０の容積が大きくなっている。また、図１３において、吹き抜け部分７１と階段室７０の重なる部分７２は、階段室７０の容積と重複する容積となるため、この重なる部分７２の容積分を階段室７０の容積または基準点天井高さと異なる部分７１の容積から減算する。
【００４１】
（２階建て）
また、図６（ａ）に示すように、２階建ての階段部分の気積の補正値（１４．８０４２ｍ3）は、（ｉ）階間・吹抜けの場合、「階段室１」、「ホール２」、「階段室２」、「階段室１、２ホール」の気積の合計値で求まる。「階段室１」では、「階高」に４．１２３（ｍ）、「階段室の面積」の「１Ｆ〜Ｓ２又は２Ｆ」に２．２５（モジュール２）、「上階床と重なる部分の面積」に１．２５（モジュール２）をユーザが入力し、補正対象の気積（８．２２１８ｍ3）をコンピュータ１００が算出する。また、「ホール２」では、「階高」に４．１２３（ｍ）、「階段室の面積」の「１Ｆ〜Ｓ２又は２Ｆ」に３．１２５（モジュール２）をユーザが入力し、補正対象の気積（４．４５８９ｍ3）をコンピュータ１００が算出する。また、「階段室２」では、「階高」に４．１２３（ｍ）、「階段室の面積」の「Ｓ２〜２Ｆ」に２．２５（モジュール２）をユーザが入力し、補正対象の気積（３．２１０４ｍ3）をコンピュータ１００が算出する。（ｉｉ）最上階の階段の天井高さの補正についても、「各天井形状の床面積」の「フラット（低）」に８．７５（モジュール２）、「高さ」の「低い側」に２．２５（ｍ）をユーザが入力し、補正対象の気積−１．０８６９（ｍ3）をコンピュータ１００が算出する。なお、天井高さHは、床面積の合計値にモジュール値（０．８２８１）を乗算した値で気積を除算して求める。
【００４２】
H＝気積÷（床面積の合計値×０．８２８１）
【００４３】
なお、階段部分の気積Ｖの計算は、以下の通りである。階高をＨ（ｍ）とし、階段室の面積において、（１）１Ｆ〜１Ｆ蔵上をＡ（モジュール２）、（２）１Ｆ蔵上〜Ｓ２ＦをＢ（モジュール２）、（３）１Ｆ〜Ｓ２Ｆまたは２ＦをＣ（モジュール２）、（４）Ｓ２Ｆ〜２ＦをＤ（モジュール２）とし、上階床と重なる部分の面積において、（５）１Ｆ〜１Ｆ蔵上をＥ（モジュール２）、（６）１Ｆ蔵上〜Ｓ２ＦをＦ（モジュール２）、（３）１Ｆ〜Ｓ２Ｆまたは２ＦをＧ（モジュール２）とし、階段吹抜面積をＩ（モジュール２）とする。
【００４４】
Ｖ＝（Ａ＋Ｂ＋Ｃ＋Ｄ）×０．８２８１×（Ｈ−基準天井高さ）＋（Ｅ＋Ｇ＋Ｆ）×０．８２８１×（Ｈ−基準天井高さ−０．１８）＋Ｉ×０．８２８１×Ｈ
【００４５】
（３階建て）
また、図６（ｂ）に示すように、３階建ての階段部分の気積の補正について、（ｉ）「階段室」、「階高」に２．７５８（ｍ）、「階段室の面積」の「２Ｆ〜３Ｆ」に５（モジュール２）、「階段吹抜面積」に１（モジュール２）をユーザが入力し、補正する気積３．７６６２（ｍ3）をコンピュータ１００が算出する。（ｉｉ）最上階の階段の天井高さの補正についても、「各天井形状の床面積」の「フラット（高）」に２（モジュール２）、「片流れ」に４（モジュール２）、「高さ」の「高い側」に３．３６５（ｍ）、「高さ」の「低い側」に２．４（ｍ）をユーザが入力し、補正対象の気積３．１９６５（ｍ3）をコンピュータ１００が算出する。ここで、「フラット（高）」については、２（モジュール２）、「高さ」の「高い側」３．３６５（ｍ）に基づいて、補正対象の気積（ｍ3）をコンピュータ１００が算出し、「片流れ」については、４（モジュール２）、「高さ」の「高い側」３．３６５（ｍ）、「高さ」の「低い側」２．４（ｍ）に基づいて補正対象の気積（ｍ3）をコンピュータ１００が算出し、これらの算出結果を合計して、気積３．１９６５（ｍ3）を算出する。なお、天井高さHは、床面積の合計値にモジュール値（０．８２８１）を乗算した値で気積を除算して求める。
【００４６】
H＝気積÷（床面積の合計値×０．８２８１）
【００４７】
なお、階段部分の補正する気積Ｖの計算は、以下の通りである。階高をＨ（ｍ）とし、階段室の面積において、（１）１Ｆ〜２をＡ（モジュール２）、（２）２Ｆ〜３ＦをＢ（モジュール２）とし、上階床と重なる部分の面積において、（３）１Ｆ〜２ＦをC（モジュール２）、（６）２Ｆ〜３ＦをＤ（モジュール２）とする。
【００４８】
Ｖ＝（Ａ＋Ｂ）×０．８２８１×（Ｈ−基準天井高さ）＋（Ｃ＋Ｄ）×０．８２８１×（Ｈ−基準天井高さ−０．１８）＋Ｉ×０．８２８１×Ｈ
【００４９】
（コンピュータ）
図１６は、コンピュータ１００の概略構成を示すブロック図である。この図に示すように、コンピュータ１００はＣＰＵ（Central Processing Unit）１０１、入力部１０２、表示部１０３、ＨＤ（Hard Disk）１０４、ＲＡＭ（Random Access Memory）１０５を備えており、各部はバス１０６で相互にデータ通信可能に接続されている。
【００５０】
入力部１０２は、キー群を備えており、押下されたキーの信号をＣＰＵ１０１に出力するようになっている。なお、この入力部１０２は、必ずしもキー群を備える必要はなく、例えばタッチパネルを備えることとしてもよい。
【００５１】
表示部１０３は、ディスプレイを備えており、ＣＰＵ１０１から入力される各種信号に基づいて各種画面を表示するものである。この表示部１０３は、入力部１０２による入力値および気積計算プログラムの計算結果を表示する。
【００５２】
ＣＰＵ１０１は、コンピュータ１００の各部を統括的に制御するものであり、入力される指示に応じて所定のプログラムに基づいた処理を実行し、各機能部への指示やデータの転送を行うようになっている。具体的には、ＣＰＵ１０１は、入力部１０２から入力される操作信号に応じてＨＤ１０４に格納された気積計算プログラムを読み出し、当該気積計算プログラムに従って処理を実行する。そして、ＣＰＵ１０１は、処理結果を表示するための表示制御信号を適宜表示部１０３に出力して、対応した表示情報を表示させる。
【００５３】
ＨＤ１０４は、電源がＯＮ状態にされた際にコンピュータ１００を初期状態に設定するためのプログラムやデータの他、上記実施の形態において説明した計算処理を実現するためのプログラム等を格納している。
【００５４】
ＲＡＭ１０５は、ＣＰＵ１０１の作業領域として各種データを一時的に記憶するための記憶領域である。なお、本実施の形態において説明した気積計算プログラムは、電気通信回線を通じてＨＤ１０４に格納され、または、ＵＳＢメモリ、フラッシュメモリ等の可搬可能な記録媒体に記録されていてもよい。
【００５５】
本実施の形態では、所定の換気システムにより建物内を換気する換気計画に使用される気積を算出する気積計算プログラムを前記コンピュータ１００のＨＤ１０４にインストールし、当該コンピュータ１００に、前記第２手順により算出された基準床面積に基準天井高さを乗じて基準容積を気積として算出する第３手順を実行させるため、居室ごとに気積を計算し、それらを加算する場合に比べて、算定工数が少なくなるため、算定時間を短縮することができる。
なお、コンピュータ１００は、延べ床面積、除外する室等の床面積、天井高さ等のデータが入力部１０２によって入力されると、入力されたデータに基づいて、ＣＰＵ１０１で演算処理を実行し、表示部１０３に演算結果を表示する。
【００５６】
また、前記第３手順において、前記気積を算出する際に、前記基準容積に前記差分容積１４、２５を加算するので、必ず必要となる気積の補正ができ、より適正な気積を求めることができる。
【００５７】
また、前記第３手順において、前記気積を算出する際に、前記基準容積に前記換気対象１０の容積を加算することにより、前記建物の延べ床面積に関する容積に含まれない換気対象１０の容積について、基準容積に対するそれぞれの補正部分のみ容積を算定して、気積の補正ができるため、より適正な気積を求めることができる。
【００５８】
前記第３手順において、前記気積を算出する際に、前記基準容積から前記第二非換気対象１１、１２の容積を減算することにより、前記第二非換気対象１１、１２の容積について、基準容積に対するそれぞれの補正部分のみ容積を算定して、気積の補正ができるため、より適正な気積を求めることができる。
【００５９】
また、前記第３手順において、前記気積を算出する際に、前記基準容積に前記階段室３０の容積を加算することにより、階段室における上階の床高さから下階の基準天井高さまでの容積について、気積の補正ができるため、より適正な気積を求めることができる。
【符号の説明】
【００６０】
１０   ロフト
１１   天袋
１２   地袋
１３   物入れ
１４   吹抜け
３０、４０、５０、６０、７０、８０、８１、９０、９１    階段室
１００ コンピュータ
１０２ 入力部
１０３ 表示部
１０６ バス
【図１】
0005778508.tif 000002
【図２】
0005778508.tif 000003
【図３】
0005778508.tif 000004
【図４】
0005778508.tif 000005
【図５】
0005778508.tif 000006
【図６】
0005778508.tif 000007
【図７】
0005778508.tif 000008
【図８】
0005778508.tif 000009
【図９】
0005778508.tif 000010
【図１０】
0005778508.tif 000011
【図１１】
0005778508.tif 000012
【図１２】
0005778508.tif 000013
【図１３】
0005778508.tif 000014
【図１４】
0005778508.tif 000015
【図１５】
0005778508.tif 000016
【図１６】
0005778508.tif 000017